(57)【特許請求の範囲】
【請求項１】
圧縮機の吐出口から被空調室内の乾式蒸発器の入口に到る冷媒往管に凝縮器、温度式膨張弁が設けられ、前記乾式蒸発器の出口から前記圧縮機の吸入口に到る冷媒復管に蒸発圧力調整弁を有する冷凍システムにおいて、前記冷媒往管の凝縮器と膨張弁との間に一端を接続したバイパス管の他端を冷媒往管の膨張弁と蒸発器との間に接続し、同バイパス管の途中に、被空調室内の温度をヒータを用いて上昇させる際に被空調室内が設定温度に達すると所定時間開かれるバイパス開閉弁を設けてなる冷凍システム。
【請求項２】
圧縮機の吐出口から被空調室内の乾式蒸発器の入口に到る冷媒往管に凝縮器、温度式膨張弁が設けられ、前記乾式蒸発器の出口から前記圧縮機の吸入口に到る冷媒復管に蒸発圧力調整弁を有する冷凍システムにおいて、前記冷媒往管の凝縮器と膨張弁との間に一端を接続したバイパス管の他端を冷媒往管の膨張弁と蒸発器との間に接続し、同バイパス管の途中に、制御回路からの信号に基づいて開閉制御されるバイパス開閉弁を設け、前記制御回路は温度比較回路とタイマ回路とを備え、温度比較回路は前記被空調室内に設けた温度センサにより検知される室温と予め設定された設定温度とを比較し、被空調室内の温度をヒータを用いて上昇させる際に室温が設定温度に達すると温度比較回路が前記タイマ回路をＯＮならしめて前記バイパス開閉弁を開き、所定時間後にタイマ回路がＯＦＦになるとバイパス開閉弁が閉ざされる構成としてなる冷凍システム。
【発明の詳細な説明】
【０００１】
【発明の属する技術分野】
本発明は環境試験装置等における空気調和用に好適な乾式冷却方式の冷凍システムに関する。
【０００２】
【従来の技術とその問題点】
環境試験室内の温度を変化させて各種のテストを行う環境試験装置の冷凍システムには乾式冷却方式のものがあり、この冷凍システムとヒータとで試験室内を所要の温度に冷却あるいは加温する構成となっている。
【０００３】
このような環境試験装置においては、試験室内の室温を低温から高温へ変化させる際、冷凍システムにおける圧縮機の吸入側に設けられた蒸発圧力調整弁を閉じて蒸発器内の蒸発圧力を上昇させることにより、蒸発器にて冷却を休止させるようになっている。
この際、蒸発圧力調整弁が閉ざされていることから冷媒管内には冷媒が流れず、したがって蒸発器の出口側における冷媒の温度は低温のままで圧力が上昇する。
【０００４】
ところで、冷凍システムの蒸発器入口側における膨張弁には、一般的に蒸発器出口側の冷媒の温度および圧力を検知する感温部を有する温度式膨張弁が使用される。
【０００５】
膨張弁は蒸発器出口側の冷媒温度が低温で圧力が高いことを検知し、冷却し過ぎと判断して閉じてしまう。さらに、室温を上昇させている間は膨張弁の閉止により冷媒が流れないので、蒸発器の出口側における冷媒の温度は上昇せず、膨張弁は冷却し過ぎと判断したまま開かれず、室温の上昇が完了しても冷却できない状態、すなわち試験室の温度を降下させることができなくなる。
【０００６】
上述の問題に対し、従来では室温を上昇させる際に室温が設定温度に達すると前記蒸発圧力調整弁を強制的に開き、蒸発圧力を降下させることによって膨張弁を開き、冷媒管内に冷媒を流通させることにより感温部の温度を変化させてから再度蒸発圧力調整弁を制御している。
【０００７】
しかし、蒸発圧力調整弁が強制的に開かれることにより蒸発器内における冷媒の蒸発圧力が一時的に制御できない状態となり、したがって試験室内の温度制御が乱れる。
【０００８】
【目的】
本発明の目的とするところは、冷却運転を休止した後に安定的かつ円滑に冷却運転の再開を行うことができる冷凍システムを提供することにある。
【０００９】
【本発明の構成】
上記目的を達成するために、本発明の請求項１に係る冷凍システムは、圧縮機の吐出口から被空調室内の乾式蒸発器の入口に到る冷媒往管に凝縮器、温度式膨張弁が設けられ、前記乾式蒸発器の出口から前記圧縮機の吸入口に到る冷媒復管に蒸発圧力調整弁を有する冷凍システムにおいて、前記冷媒往管の凝縮器と膨張弁との間に一端を接続したバイパス管の他端を冷媒往管の膨張弁と蒸発器との間に接続し、同バイパス管の途中に、被空調室内の温度をヒータを用いて上昇させる際に被空調室内が設定温度に達すると所定時間開かれるバイパス開閉弁を設けてなる構成のものとしてある。
【００１０】
また、本発明の請求項２に係る冷凍システムは、圧縮機の吐出口から被空調室内の乾式蒸発器の入口に到る冷媒往管に凝縮器、温度式膨張弁が設けられ、前記乾式蒸発器の出口から前記圧縮機の吸入口に到る冷媒復管に蒸発圧力調整弁を有する冷凍システムにおいて、前記冷媒往管の凝縮器と膨張弁との間に一端を接続したバイパス管の他端を冷媒往管の膨張弁と蒸発器との間に接続し、同バイパス管の途中に、制御回路からの信号に基づいて開閉制御されるバイパス開閉弁を設け、前記制御回路は温度比較回路とタイマ回路とを備え、温度比較回路は前記被空調室内に設けた温度センサにより検知される室温と予め設定された設定温度とを比較し、被空調室内の温度をヒータを用いて上昇させる際に室温が設定温度に達すると温度比較回路が前記タイマ回路をＯＮならしめて前記バイパス開閉弁を開き、所定時間後にタイマ回路がＯＦＦになるとバイパス開閉弁が閉ざされる構成のものとしてある。
【００１１】
【実施例】
以下、本発明に係る冷凍システムの実施例を添付図面に示す具体例に基づいて詳細に説明する。
圧縮機１の吐出口に一端が接続された冷媒往管２の他端は、油分離器３、凝縮器４、膨張弁５を経て被空調室たる試験室６内に設けた空調器７内の乾式蒸発器８に接続されている。
【００１２】
同乾式蒸発器８に一端が接続された冷媒復管９の他端は蒸発圧力調整弁１０を介して前記圧縮機１の吸入口に接続されている。
【００１３】
前記膨張弁５は温度式膨張弁としてあって、その感温部５ａは蒸発器出口付近の前記冷媒復管９に設けられ、同冷媒復管９内の冷媒圧力を検知する均圧管５ｂの端部も前記冷媒復管の感温部近傍に接続されている。
なお、図中の符号１１は空調器のヒータ、１２は送風機を示している。
【００１４】
しかして、前記冷媒往管２の途中には、一端が前記凝縮器４と膨張弁５の間に接続され、他端が膨張弁５と蒸発器８の間に接続されて膨張弁５を跨ぐバイパス管１３を設けてあり、同バイパス管１３の途中にはバイパス開閉弁１４を設けてある。
【００１５】
このバイパス開閉弁１４は室温を上昇させる際に試験室６内の温度（室温）が予め設定された温度（設定温度）に達したときにだけ制御回路１５からの指令によって所定時間開かれ、その他の冷却運転時や冷却運転休止時には閉ざされている。
【００１６】
制御回路１５は温度比較回路とタイマとを備えていて、温度比較回路は試験室６内に設けた温度センサ１６により検知される室温と設定温度とを比較し、室温を上昇させる際に室温と設定温度が等しくなると温度比較回路からの信号によりタイマがＯＮとなって制御回路１５がバイパス開閉弁１４を開き、所定時間後にタイマがＯＦＦになると制御回路１５がバイパス開閉弁１４を閉じる。
なお、タイマがＯＮとなっている時間、すなわちバイパス開閉弁１４を開いておく時間は蒸発器８の容量、試験室６内の室温等の各種要素によって異なる。
【００１７】
次ぎに上述のように構成した本発明に係る冷凍システムの作用を説明する。
冷却運転時には、前記バイパス開閉弁１４が閉ざされていて、圧縮機１からの冷媒が冷媒往管２により油分離器３、凝縮器４および膨張弁５を経て蒸発器８内に流入し、送風機１２により空調器７内を流過する室内空気と熱交換する。そして蒸発器８からの冷媒は、冷媒往管９によって蒸発圧力調整弁１０を経て圧縮機へ戻される。
【００１８】
室内温度を上昇させる際には、ヒータ１１により空調器７を流過する室内空気を加温するとともに、冷凍システムにおいては蒸発圧力調整弁１０を閉じて蒸発器８内における冷媒の蒸発圧力を上昇させ、蒸発器における冷却を休止せしめる。
この際、膨張弁５は感温部５ａおよび均圧管５ｂにより、蒸発器８出口側における冷媒温度が低温、高圧であることを検知して閉ざされている。
【００１９】
その後、温度センサ１６により検知される試験室６内の温度が図２に示されるように予め設定された設定温度ＴH に達すると、制御回路１５の温度比較回路がタイマをＯＮとして制御回路がバイパス開閉弁１４を開き、所定時間ｔが経過した後にタイマがＯＦＦになると制御回路がバイパス開閉弁１４を閉じる。
【００２０】
この際、冷媒往管２内の冷媒はバイパス管１３を流過して蒸発器８内に流れ込み、蒸発器内および同出口側における冷媒復管９内の冷媒温度が上昇し、膨張弁５が開かれ、冷却運転を再開することができる状態になる。
なお、この状態は室温を高温に保持し続ける場合であってもそのまま維持され、外部から冷却運転の指令を受けると直ちに冷却運転が行われる。
【００２１】
【発明の効果】
本発明に係る冷凍システムは、冷媒往管の途中に膨張弁を跨ぐバイパス管を備えているので、冷却運転を休止して温度式膨張弁が閉ざされても、被空調室内の温度が設定温度になると冷媒がバイパス管を経て蒸発器に流されるので、蒸発器出口における冷媒温度が上昇して温度式膨張弁が開かれ、必要に応じて直ちに冷却運転を再開することができ、しかも従来の冷凍システムのように冷媒復管における蒸発圧力調整弁を強制的に開くことにより生じる冷却運転の乱れも生じるおそれがなく、安定した冷却運転を行うことができる。
【図面の簡単な説明】
【図１】本発明に係る冷凍システムの実施例を示す構成図。
【図２】室温変化とバイパス開閉弁の開閉制御の関係を示すグラフ。
【符号の説明】
１  圧縮機                    ２  冷媒往管
３  油分離器                  ４  凝縮器
５  温度式膨張弁              ６  試験室
７  空調器                    ８  乾式蒸発器
９  冷媒復管                １０  蒸発圧力調整弁
１１  ヒータ                  １２  送風機
１３  バイパス管              １４  バイパス開閉弁
１５  制御回路                １６  温度センサ
【図１】
0004068778.tif 000002
【図２】
0004068778.tif 000003